(57)【要約】      （修正有）【課題】標識本体の背後に出来る死角をなくすことができ、かつ文字や図形、記号類の表示や修正を極めて簡単に行うことができる新規な透過型ホログラム標識を提供する。【解決手段】主として道路や工事現場、ガソリンスタンド等に設置される透過型ホログラム標識１１であって、パンチングメタルを用いた背後が透過可能な標識本体１２と、表面にホログラム層を形成して所定の文字や図形、記号類を表示するよう、前記標識本体に磁力によって貼付されたマグネットシート１３と、上記標識本体を固定する外周フレーム２１と、上記外周フレームの支持手段とで構成する。【選択図】図３
0003148274.tif 000002
【実用新案登録請求の範囲】
【請求項１】
主としてガソリンスタンドに設置される透過型ホログラム標識であって、パンチングメタルを用いた背後が透過可能な標識本体と、表面にホログラム層を形成して所定の文字や図形、記号類を表示するよう、前記標識本体に磁力によって貼付されたマグネットシートと、上記標識本体を固定する外周フレームと、上記外周フレームの支持手段とからなることを特徴とする透過型ホログラム標識。
【請求項２】
上記表面にホログラム層を形成し、文字や図形、記号類を表示するマグネットシートが、文字や図形、記号類を構成する線分に分解した直線状または円弧状のパーツからなり、この直線状または円弧状のパーツを組み合わせて文字や図形、記号類を表示するようにしたことを特徴とする請求項１に記載の透過型ホログラム標識。
【請求項３】
上記外周フレームの支持手段が、高さ調節用アジャスタ２３が取り付けられた支持脚２２を備えており、高さ調節用アジャスタ２３で支持脚の高さを調整することによって透過型ホログラム標識を適宜位置に設置することができるようにしたことを特徴とする請求項に記載の透過型ホログラム標識。
【考案の詳細な説明】
【技術分野】
【０００１】
この考案は、主にガソリンスタンドに設置する透過型ホログラム標識に関する。
【背景技術】
【０００２】
これまで、ガソリンスタンド等に設置される文字表示用の標識としては、金属プレート等の表面にＬＥＤランプ（光源）を配置して文字表示できるようにした発光型の標識が主流である。これは、その前後の面にガソリン価格等をＬＥＤランプ（光源）で表示するようになっており、かつ前記発光型の標識を例えばキャスター付きの支持台上に搭載したものである。
【特許文献１】特開平１０ッ２０４８３７号公報
【考案の開示】
【考案が解決しようとする課題】
【０００３】
しかしながら、上述したような特にガソリンスタンドで用いられる文字表示用の標識においては、前記キャスター付きの支持台上に金属プレート等の表面にＬＥＤランプ（光源）を配置して文字表示できるようにした発光型の標識を搭載したものであるため、非常に重く、また電気コードでコンセントに接続しなければならため、その始業時や終業時等におけるガソリンスタンドの従業員による所定位置へのセットや格納作業が非常に面倒であった。
【０００４】
また、走行中のドライバー、自転車に乗っている人や歩行者など、注意を促したい対象の人にとって、発光型の標識の背後が常に死角となってしまうという点である。これは発光型の標識の標識本体が透過性を持っていないためである。この標識本体の背後の死角からは、例えば子供や自転車、車両や犬猫などの動物が急に飛び出してくる可能性や、置石などの障害物もあり、出会い頭の衝突などによる重大事故の発生原因ともなってしまう。
【０００５】
そこで、この考案は、パンチングメタルを用いた背後が透過可能な標識本体と、表面にホログラム層を形成して所定の文字や図形、記号類を表示するよう、前記標識本体に磁力によって貼付されたマグネットシートとで構成することで、標識本体の背後に出来る死角をなくすことができ、かつ文字や図形、記号類の表示や修正を極めて簡単に行うことができる新規な透過型ホログラム標識を提供することを目的とする。
【課題を解決するための手段】
【０００６】
この考案の透過型ホログラム標識は前記目的を達成するため、主として道路や工事現場、ガソリンスタンド等に設置される透過型ホログラム標識であって、パンチングメタルを用いた背後が透過可能な標識本体と、表面にホログラム層を形成して所定の文字や図形、記号類を表示するよう、前記標識本体に磁力によって貼付されたマグネットシートと、上記標識本体を固定する外周フレームと、上記外周フレームの支持手段とからなることを特徴としている（請求項１）。
【０００７】
またこの考案の透過型ホログラム標識は、上記表面にホログラム層を形成し、文字や図形、記号類を表示するマグネットシートが、文字や図形、記号類を構成する線分に分解した直線状または円弧状のパーツからなり、この直線状または円弧状のパーツを組み合わせて文字や図形、記号類を表示するようにしたことをも特徴としている（請求項２）。
【０００８】
この考案の透過型ホログラム標識は、上記外周フレームの支持手段が、高さ調節用アジャスタ２３が取り付けられた支持脚２２を備えており、高さ調節用アジャスタ２３で支持脚の高さを調整することによって透過型ホログラム標識を適宜位置に設置することができるようにしたことをも特徴としている（請求項３）。
【考案の効果】
【０００９】
この考案に係る透過型ホログラム標識は、表面にホログラム層を形成し、文字や図形、記号類を表示するマグネットシートが、文字や図形、記号類を構成する線分に分解した直線状または円弧状のパーツからなり、この直線状または円弧状のパーツを組み合わせて文字や図形、記号類を表示するようにしたので、昼光や自動車のヘッドランプ等によって昼夜を問わず十分な視認性を有するようになる。
【００１０】
特に標識本体を暗色系とした上、表面にホログラム層を形成したマグネットシートを標識本体に取り付けると、昼間でもマグネットシート表面のホログラム層からなる文字や図形、記号類が自発光するように際立って明るく見え、ガソリンスタンドの客等がガソリン価格等を確実に見ることができるので非常に有意義である。
また夜間の場合には、ホログラム層に自動車等のランプの光が反射し、文字や図形、記号類が虹色に輝いて見えるので、ガソリンスタンド等において顧客をより確実に吸引することができるようになる。
【００１１】
さらに、この考案に係る透過型ホログラム標識は、標識本体がパンチングメタルを用いて透過可能としているため、背後の死角に存在する危険因子に早い段階で気づくことができ、容易に危険回避することができる。
【考案を実施するための最良の形態】
【００１２】
以下、図面に基いてこの考案に係る透過型ホログラム標識の実施の形態について詳細に説明する。
図１は、この考案に係る透過型ホログラム標識の１実施例を示す正面図、図２は、この考案に係る透過型ホログラム標識の他の実施例を示す正面図、図３は、上記透過型ホログラム標識に支持手段を組み付けた状態を示す斜視図、図４は透過型ホログラム標識に別の支持手段を組み付けた状態を示す斜視図である。
【００１３】
図１および図２は、この考案に係る透過型ホログラム標識の実施例を示すそれぞれ正面図である。図示した透過型ホログラム標識１１は、標識本体１２と、表面にホログラム層を形成し、文字や図形、記号類を表示するマグネットシート１３とを備えている。
そしてこの上記標識本体１２は、素材に無数の孔を有するパンチングメタルを用いている。これにより、標識本体１２の背後の景色が透過して視認できるようになっている。考案者は、パンチングメタルの孔径およびパンチングメタル表面の色による背景の視認性を検証してきた。前記パンチングメタルの孔の径は、3mm以上の大きさになると縞模様が発現して背景がかえって見づらいため、孔の径を2mmにすると最もよく背景を視認することができた。また、パンチングメタル表面の色は明色系では標識本体背後の景色が視認しづらいため、標識本体表面には暗色系、例えば黒色に塗布するとよい。なお、当該実施例では黄色と黒色の縞模様のカラーリングを施しているが、これにより、透過型ホログラム標識の存在を確実に注意・認識することができるようにしている。
【００１４】
また、上記標識本体１２に貼付するマグネットシート１３は、表面にホログラム層を形成し、文字や図形、記号類を表示するよう、プレス型等によって打ち抜かれ、あるいはその他適宜の手段で切り抜かれている。ホログラムはいわゆる三次元写真のことで、２つの光(例えばレーザー光線)を用いて干渉を起こし、光の強さだけでなく来る方向までも記録し、奥行きを出し、三次元的な画像を浮かび上がらせたものであって、プリズム効果により光を虹色に反射する。
このようなホログラム層はマグネットシート１３上にホログラムシートを貼付することによって形成される。
【００１５】
このように、文字や図形、記号類を表示するために表面にホログラム層を形成したマグネットシート１３を用いることで、暗色系、例えば黒色に塗装された標識本体１２の表面上でホログラム層が際立って明るく見え、透過型ホログラム標識１１の文字や図形、記号類に関し、昼夜問わず、十分な視認性を確保することができる。
すなわち、昼間はホログラム層の文字や図形、記号類が白く光って浮き上がったように見え、夜間はホログラム層の文字や図形、記号類が自動車のライト等に反射して虹色に明るく輝いて見えるのである。
そして、透過型ホログラム標識１１は、標識本体１２の背後にいる例えば人や自転車、自動車、その他障害物の存在を視認することができ、十分に注意することができるようになるのである。
【００１６】
前記透過型ホログラム標識１１は、上記標識本体１２をその内部に固定する外周フレーム２１と上記外周フレーム２１の支持手段によって適宜の場所に設置される。
図３はそのような透過型ホログラム標識１１に支持手段を組み付けた状態を示すものであり、支持手段として支持脚２２が採用されている。もちろん、支持脚２２に代えて前記従来例のようなキャスタ付きの支持台等を採用することも可能であり、このような支持台等のほかにも固定用ポストに取り付ける等の手段が採用可能である。
【００１７】
図４はそのような透過型ホログラム標識１１に別の支持手段を組み付けた状態を示すものであり、支持手段として支持脚２２が採用され、かつ各支持脚２２にはそれぞれ高さ調節用アジャスタ２３が取り付けられている。
前記高さ調節用アジャスタ２３は、各支持脚２２の下端にはめ込むための筒状保持部２４と、その外側の側面に一体的に固設したコ字状ガイド２５と、該コ字状ガイド２５の対向する一対のガイド片２６のネジ孔２７間に挿通した補助脚２８とで構成されている。
図中、２９は補助脚２８の下端に自在継手を介して取り付けた座部、３０はガイド片２６のネジ孔２７間に挿通した補助脚２８に取り付けたストッパ、３１は該ストッパ３０と前記下側のガイド片２６との間に取り付けたコイルバネ、３２は前記筒状保持部２４に取り付けた蝶ネジである。
【００１８】
この例の高さ調節用アジャスタ２３からなる支持手段においては、支持脚２２に前記筒状保持部２４をはめ込んだ上、蝶ネジ３２を締めて支持脚２２に前記筒状保持部２４を固定する。
その後、前記ガイド片２６のネジ孔２７に取り付けた補助脚２８を回してその高さを調整する。このように補助脚２８の高さを調整して、接地面に前後や左右の段差があった場合であっても、透過型ホログラム標識１１を所定位置に無理なく設置することができる。
図中３３は、補助脚２８の下端に取り付けた座部２９の滑り止め用カバーであり、この滑り止め用カバー３３によって補助脚２８はコンクリート面等に密着するので、透過型ホログラム標識１１は多少の風では倒れる心配がない。
【００１９】
またこの考案の透過型ホログラム標識１１は、上記表面にホログラム層を形成し、文字や図形、記号類を表示するマグネットシート１３として、文字や図形、記号類を構成する線分に分解した直線状（または円弧状）のパーツ４１を使用することができる。
図では直線状のパーツ４１として両端を尖頭状とした長方形を使用し、この長方形のパーツ４１を複数組み合わせて文字や図形、記号類を表示するようになっている。特に図のように数字を表示することに適している。
なお、直線状のパーツ４１に代えて、あるいは直線状のパーツとともに円弧状のパーツを採用することにより、マグネットシート１３によって表示できる文字や図形、記号類の幅を飛躍的に広げることができる。
【産業上の利用可能性】
【００２０】
この考案の透過型ホログラム標識は、文字や図形、記号類の表示として表面にホログラム層を形成したマグネットシートにより十分な視認性を確保するとともに、標識本体にパンチングメタルを用い、さらに該標識本体の表面を暗色系、例えば黒色に塗布することで、標識本体の背後の景色をはっきりと視認することができる。したがって、従来の標識が有していた背後の危険な死角を十分に解消することができる。
【００２１】
この考案の標識は、上述したように主にガソリンスタンド等や、道路脇や工事現場等に設置される立て看板に適用されるもの想定しているが、例えば立て看板に限らず道路標識などの交通標識やその他適宜の看板や標識などに適用できるとこは言うまでもない。
【図面の簡単な説明】
【００２２】
【図１】この考案に係る透過型ホログラム標識の１実施例を示す正面図である。
【図２】この考案に係る透過型ホログラム標識の他の実施例を示す正面図である。
【図３】上記透過型ホログラム標識に支持手段を組み付けた状態を示す斜視図である。
【図４】透過型ホログラム標識に別の支持手段を組み付けた状態を示す斜視図である。
【符号の説明】
【００２３】
１１  透過型ホログラム標識
１２  標識本体
１３  マグネットシート
２１  外周フレーム
２２  支持脚
２３  高さ調節用アジャスタ
２４  筒状保持部
２５  コ字状ガイド
２６  ガイド片
２７  ネジ孔
２８  補助脚
２９  座部
３０  ストッパ
３１  コイルバネ
３２  蝶ネジ
３３  滑り止め
４１  パーツ
【図１】
0003148274.tif 000003
【図２】
0003148274.tif 000004
【図３】
0003148274.tif 000005
【図４】
0003148274.tif 000006
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
主としてガソリンスタンドに設置される透過型ホログラム標識であって、パンチングメタルを用いた背後が透過可能な標識本体と、表面にホログラム層を形成して所定の文字や図形、記号類を表示するよう、前記標識本体に磁力によって貼付されたマグネットシートと、上記標識本体を固定する外周フレームと、上記外周フレームの支持手段とからなることを特徴とする透過型ホログラム標識。
【請求項２】
上記表面にホログラム層を形成し、文字や図形、記号類を表示するマグネットシートが、文字や図形、記号類を構成する線分に分解した直線状または円弧状のパーツからなり、この直線状または円弧状のパーツを組み合わせて文字や図形、記号類を表示するようにしたことを特徴とする請求項１に記載の透過型ホログラム標識。
【請求項３】
上記外周フレームの支持手段が、高さ調節用アジャスタ２３が取り付けられた支持脚２２を備えており、高さ調節用アジャスタ２３で支持脚の高さを調整することによって透過型ホログラム標識を適宜位置に設置することができるようにしたことを特徴とする請求項１に記載の透過型ホログラム標識。